(57)【要約】  画像を表示する電気泳動ディスプレイパネル（１）は、複数の画素（２）と駆動手段（１００）とを持つ。各画素（２）は、電位差を受ける２つの電極（３，４）と、電極（３，４）間の位置を占めることができる荷電粒子（６）とを持つ。駆動手段（１００）は、各画素（２）に対して電位差パルスのシーケンスを供給することができる。各シーケンスは、粒子（６）の位置を実質的に変更せずに、粒子（６）が電位差に応答する能力を変更する応答変更パルスと、画像を表示するために前記位置の１つに粒子（６）を移動する画像パルスとを持つ。フレーム期間が比較的大きく、前記画像パルスに対する電位差値の数が比較的少ない場合でさえも、ディスプレイパネル（１）が比較的高画質の画像を表示することができるためには、少なくともある数の画素（２）に関して、駆動手段（１００）は更に前記ある数の中の各画素（２）に対して前記応答変更パルスの終了の前に前記画像パルスの一部を供給することができる。
2007503602.tif 000002
【特許請求の範囲】
【請求項１】
画像を表示する電気泳動ディスプレイパネルであって、
各画素が電位差を受ける２つの電極と前記電極間の位置を占めることができる荷電粒子とを有する複数の画素と、
各画素に対して電位差パルスのシーケンスを供給することができる駆動手段であって、各シーケンスが、
前記粒子の位置を実質的に変更せずに、前記粒子が前記電位差に応答する能力を変更する応答変更パルス、及び
前記画像を表示するために前記位置の１つに前記粒子を移動する画像パルス
を有する当該駆動手段と、
を有する電気泳動ディスプレイパネルにおいて、
少なくともある数の前記画素に関して、前記駆動手段が更に前記ある数の中の各画素に対して前記応答変更パルスの終了の前に前記画像パルスの一部を供給することができることを特徴とする電気泳動ディスプレイパネル。
【請求項２】
前記駆動手段が更に前記ある数の中の各画素に対して前記画像パルスの一部の前に他の応答変更パルスを供給することができることを特徴とする、請求項１に記載のディスプレイパネル。
【請求項３】
前記応答変更パルスは、前記粒子の位置を実質的に変更せずに、前記粒子が前記電位差に応答する能力を増大する応答増大パルスであることを特徴とする、請求項１に記載のディスプレイパネル。
【請求項４】
前記応答増大パルスが振動パルスであり、前記振動パルスがプリセット値と関連したプリセット持続期間とを持つプリセット電位差のシーケンスであり、前記シーケンス内の前記プリセット値が交互に符号を変え、各プリセット電位差が、前記電極に近い位置である末端位置の一方に存在する粒子をこの位置から解放するのに十分であるが、前記粒子が前記末端位置の他方に到達することを可能にするには不十分なプリセットエネルギを表すことを特徴とする、請求項３に記載のディスプレイパネル。
【請求項５】
プリセット電位差の各シーケンスが、偶数のプリセット電位差を持つことを特徴とする、請求項４に記載のディスプレイパネル。
【請求項６】
前記駆動手段が更に前記ある数の中の各画素に対してサブ画像パルスのシーケンスを有する前記画像パルスを供給することができ、各サブ画像パルスがサブ画像値と関連したサブ画像持続期間とを持ち、各サブ画像持続期間が所定の定数に等しいことを特徴とする、請求項１に記載のディスプレイパネル。
【請求項７】
前記駆動手段が更に前記ある数の中の各画素に対して少なくとも１つの正の極性と少なくとも１つの負の極性とを有する前記サブ画像パルスのシーケンスを供給することができることを特徴とする、請求項６に記載のディスプレイパネル。
【請求項８】
前記駆動手段が更に前記ある数の中の各画素に対して前記応答変更パルス及び前記画像パルスの両方の前にリセットパルスを供給することができ、前記リセットパルスが前記粒子を前記末端位置の一方に移動することができ、前記リセットパルスが、前記粒子の位置を現在の位置から前記末端位置の一方まで変更するエネルギを表す基準エネルギと少なくとも同じ大きさであるエネルギを表すことを特徴とする、請求項１に記載のディスプレイパネル。
【請求項９】
各リセットパルスのエネルギが、前記基準エネルギより実質的に大きいことを特徴とする、請求項８に記載のディスプレイパネル。
【請求項１０】
各リセットパルスが、前記画像を表示するために前記粒子の位置に最も近い前記末端位置に前記粒子を移動することができることを特徴とする、請求項８に記載のディスプレイパネル。
【請求項１１】
各画素が前記ある数の画素の１つであることを特徴とする、請求項１に記載のディスプレイパネル。
【請求項１２】
請求項１に記載のディスプレイパネルを有する表示装置。
【発明の詳細な説明】
【技術分野】
【０００１】
本発明は、画像を表示する電気泳動ディスプレイパネルにおいて、
各画素が電位差を受ける２つの電極と前記電極間の位置を占めることができる荷電粒子とを有する、複数の画素と、
各画素に対して電位差パルスのシーケンスを供給することができる駆動手段であって、各シーケンスが、
前記粒子の位置を実質的に変更せずに、前記粒子が前記電位差に応答する能力を変更する応答変更パルス（response-changing pulse）、及び
前記画像を表示するために前記粒子を前記位置の１つに移動する画像パルス
を有する当該駆動手段と、
を有する電気泳動ディスプレイパネルに関する。
【背景技術】
【０００２】
冒頭の段落に述べられたタイプの電気泳動ディスプレイパネルの一実施例は、事前発行されていない（non-prepublished）欧州特許出願０２０７７０１７．８に記載されている。
【０００３】
電気泳動ディスプレイパネルは、一般に、電極間の電界の影響下の荷電され、通常は色付けされた粒子の運動に基づく。これらのディスプレイパネルを用いて、暗い又は色付けされた文字が、明るい又は色付けされた背景に描かれることができ、逆もまた同様である。電気泳動ディスプレイパネルは、したがって、“ペーパーホワイト（paper white）”アプリケーションと称される紙の機能を引き継ぐ表示装置、例えば電子新聞及び電子手帳で特に使用される。画素は、画像の表示の間、電極間の荷電粒子の位置により決定される外観を持つ。
【０００４】
上述の電気泳動ディスプレイパネルにおいて、各応答変更パルスは、前記粒子の位置を実質的に変更せずに、前記粒子が前記電位差に応答する能力を増大する振動パルス（shaking pulse）である。このような振動パルスの例は、−１５ボルトのパルスが後に続く１５ボルトのパルスであり、両方のパルスが１０ｍｓだけ印加される。前記振動パルスの印加中、前記粒子の位置は変化することができる。しかしながら、前記振動パルスの結果として、前記粒子の位置は実質的に変化しない。この後に、前記画像パルスは、前記画像を表示するために前記位置の１つに前記粒子を移動する。前記画像パルスの持続期間及び電位差値を選択することにより、前記画素の多数の異なる外観が達成されることができる。しかしながら、通常は前記画像パルスは複数のサブ画像パルス（sub-picture pulse）からなり、各サブ画像パルスは通常はおよそ１０ミリ秒続く１フレーム期間だけ印加され、各サブ画像パルスは限られた数の所定の電位差値、例えば−１５、０、１５ボルトから選択される値を持つので、通常は前記画像パルスの持続期間及び電位差値を選択するこの自由度は存在しない。結果として、前記画素の比較的少数の外観だけが達成されることができ、したがって画質は比較的低い。
【０００５】
上述のディスプレイパネルの欠点は、フレーム期間が比較的大きく、前記画像パルスに対する電位差値の数が比較的少ない場合に比較的高い画質を得ることが難しいことである。
【発明の開示】
【発明が解決しようとする課題】
【０００６】
本発明の目的は、フレーム期間が比較的大きく、前記画像パルスに対する電位差値の数が比較的少ない場合でさえも比較的高画質の画像を表示することができる冒頭の段落で述べられた種類のディスプレイパネルを提供することである。
【課題を解決するための手段】
【０００７】
この目的は、少なくともある数の前記画素に関して、前記駆動手段が更に前記応答変更パルスの終了の前に前記ある数の中の各画素に対して前記画像パルスの一部を供給することができることにより達成される。
【０００８】
本発明は、前記応答変更パルスが、前記粒子の位置を実質的に変更せずに、前記粒子が前記電位差に応答する能力を変更するので、前記シーケンスから生じる前記画素の外観の変化が、前記シーケンス内の前記応答変更パルスの少なくとも一部と前記画像パルスの少なくとも一部との相対的な順序に依存するという洞察に基づく。前記応答変更パルス及び前記画像パルスの混合（mixing）と称される、前記シーケンスにおける前記応答変更パルスの少なくとも一部と前記画像パルスの少なくとも一部との異なる相対的順序を選択することにより、フレーム期間が比較的大きく、前記画像パルスに対する電位差値の数が比較的少ない場合でさえも、前記画素の比較的多数の外観が達成されることができる。一実施例において、前記画像パルスは、前記応答変更パルスの周りに分配される。前記駆動手段が更に前記ある数の中の各画素に対して前記画像パルスの一部の前に他の応答変更パルスを供給することができることは好ましい。この場合、前記画像パルスは少なくとも２つの部分に分割され、少なくとも２つの応答変更パルスが存在する。結果として、前記画素の比較的多数の外観が達成されることができる。
【０００９】
一実施例において、前記応答変更パルスは、前記粒子の位置を実質的に変更せずに、前記粒子が前記電位差に応答する能力を増大する応答増大パルスである。この場合、画像更新時間は減少される。前記実施例の変更例において、前記応答増大パルスは振動パルスであり、前記振動パルスは、プリセット値及び関連したプリセット持続期間を持つプリセット電位差のシーケンスであり、前記シーケンス内のプリセット値は符号を交互に変え、各プリセット電位差は、前記電極に近い位置である末端位置（extreme positions）の一方に存在する粒子をこの位置から解放するのに十分であるが、前記粒子が前記末端位置の他方に到達するには不十分なプリセットエネルギを表す。一例として、各サブ画像パルスが１フレーム期間だけ印加される、２つのサブ画像パルスからなる画像パルスを考える。前記特許出願のディスプレイパネルに存在する順序での前記振動パルス、第１のサブ画像パルス及び第２のサブ画像パルスの連続した印加は、前記画素の外観の比較的大きな変化を結果として生じる。更に、プリセット電位差の各シーケンスが偶数個のプリセット電位差を持つ場合、前記振動パルスのＤＣ成分は減少される。
【００１０】
一実施例において、前記駆動手段は更に、前記ある数の中の各画素に対してサブ画像パルスのシーケンスを有する画像パルスを供給することができ、各サブ画像パルスはサブ画像値及び関連したサブ画像持続期間を持ち、各サブ画像持続期間は所定の定数に等しい。前記所定の定数はフレーム期間に等しい。更に、前記シーケンス内の前記サブ画像パルスが等しい極性を持つ場合、前記画素の比較的多数の外観は、前記振動パルス及び前記画像パルスを混合することにより達成されることができる。しかしながら、前記駆動手段が更に、前記ある数の中の各画素に対して少なくとも１つの正の極性及び少なくも１つの負の極性を有するサブ画像パルスのシーケンスを供給することができる場合、前記シーケンス内の前記サブ画像パルスの相対的な順序は、前記画素の更に多数の外観を達成するために使用されることができる。
【００１１】
前記駆動手段が更に、前記ある数の中の各画素に対して前記応答変更パルス及び前記画像パルスの両方の前にリセットパルスを供給することができ、前記リセットパルスが前記粒子を前記末端位置の一方に移動することができ、前記リセットパルスが、現在の位置から前記末端位置の一方に前記粒子の位置を変更するエネルギを表す基準エネルギと少なくとも同じ大きさのエネルギを表すことは好ましい。この場合、前記電位差パルスの履歴に対する前記粒子の位置の依存性は減少され、画像更新はより正確である。更に、各リセットパルスのエネルギが前記基準エネルギより実質的に大きいことは好ましい。この場合、画像更新は更に正確である。このようなリセットパルスは、ＰＨＮＬ０３００９１とも称される事前発行されていない欧州特許出願０３１００１３３．２に記載されている。各リセットパルスが、前記画像を表示するために前記粒子の位置に最も近い末端位置に前記粒子を移動することができることも好ましい。この場合、観察者は、前記画像の推定から前記画像への比較的滑らかな遷移を知覚する。前記駆動手段が更に前記ある数の中の各画素に対して前記リセットパルスの前に他の振動パルスを供給することができることは更に好ましい。前記他の振動パルスの結果として、画像更新は更に正確になる。
【００１２】
他の実施例において、前記応答変更パルスは時間で同期している。
【００１３】
他の実施例において、前記ディスプレイパネルはアクティブマトリクスディスプレイパネルである。
【００１４】
各前述の実施例において、各画素が前記ある数の画素の中の１つであることが好ましい。
【００１５】
一実施例において、前記ディスプレイパネルは表示装置の一部である。
【００１６】
本発明のディスプレイパネルのこれら及び他の態様は、図面を参照して更に説明及び記載される。
【００１７】
全ての図において、対応する部分は、同じ参照符号により参照される。
【発明を実施するための最良の形態】
【００１８】
図１及び２は、第１の基板８と、第２の透明な反対側の基板９と、複数の画素２とを有するディスプレイパネル１の例を示す。好ましくは、画素２は、２次元構造に実質的に直線に沿って配置される。画素２の他の配置、例えばハニカム配置（honeycomb arrangement）が代替的に可能である。アクティブマトリクスの実施例において、画素２は更に切り替え電子部品、例えば薄膜トランジスタ（ＴＦＴ）、ダイオード、又はＭＩＭ装置等を有してもよい。
【００１９】
流体内に荷電粒子６を有する電気泳動媒体５は、基板８と基板９と間に存在する。第１の電極３及び第２の電極４は、各画素２と結合され、電位差を受ける。図２において、第１の基板８は、各画素２に対して第１の電極３を持ち、第２の基板９は、各画素２に対して第２の電極４を持つ。荷電粒子６は、電極３及び４に近い末端位置の一方である位置、及び電極３と電極４との間の中間の位置を占めることができる。各画素２は、電極３と電極４との間の荷電粒子６の位置により決定される外観を持つ。電気泳動媒体５は、例えば米国特許出願公報ＵＳ５９６１８０４、ＵＳ６１２０８３９及びＵＳ６１３０７７４から既知であり、例えばE Ink Corporationから得られることができる。一例として、電気泳動媒体５は、白い流体内の負に荷電された黒い粒子６を有する。例えば１５ボルトの電位差の結果として、荷電粒子６が第１の末端位置、即ち第１の電極３の近くにある場合、画素２の外観は、例えば白である。ここで、画素２は、第２の基板９の側から観察されると見なされる。反対の極性、即ち−１５ボルトの電位差の結果として、荷電粒子６が第２の末端位置、即ち第２の電極４の近くにある場合、画素２の外観は黒である。荷電粒子６が中間の位置の１つ、即ち電極３と電極４との間にある場合、画素２は中間の外観、例えば白と黒との間のグレイレベルである、明るいグレイ、中間のグレイ及び暗いグレイの１つを持つ。駆動手段１００は、各画素２に対して電位差パルスのシーケンスを供給することができる。各シーケンスは、粒子６の位置を実質的に変更せずに、粒子６が前記電位差に応答する能力を変更する応答変更パルスと、画像を表示するために前記位置の１つに粒子６を移動する画像パルスとを有する。更に、少なくともある数の画素２に関して、駆動手段１００は、前記ある数の中の各画素２に対して前記応答変更パルスの終了の前に前記画像パルスの少なくとも一部を供給することができる。
【００２０】
一実施例において、前記応答変更パルスは、応答増大パルスである振動パルスである。前記振動パルスは、プリセット値及び関連したプリセット持続期間を持つプリセット電位差のシーケンスである。前記シーケンス内の前記プリセット値は符号を交互に変え、各プリセット電位差は、末端位置の一方に存在する粒子６をこの位置から解放するのに十分であるが、粒子６が前記末端位置の他方に到達することを可能にするには不十分なプリセットエネルギを表す。一例として、６つのプリセット電位差を持つ振動パルス及び４つのサブ画像パルスを持つ画像パルスを考える。前記特許出願のディスプレイパネルの画素２の電位差パルスのシーケンスは、図３に時間の関数として示される。前記シーケンスの印加の前に、画素２の外観は、例えば黒であり、Ｂにより示される。前記振動パルスが、例えば、プリセット値１５ボルト、−１５ボルト、１５ボルト、−１５ボルト、１５ボルト及び−１５ボルトを続けて持ち、時間ｔ０から時間ｔ１まで印加される６つの電位差のシーケンスである。各プリセット値は、例えば１フレーム期間、本例においては１０ｍｓだけ印加される。前記振動パルスの結果として、前記粒子が前記電位差に応答する能力が増大され、粒子６の位置は実質的に変化しない。引き続いて、４つのサブ画像値を持つ前記画像パルスが時間ｔ２から時間ｔ３まで存在し、各値は１５ボルトであり、各関連した持続期間は１フレーム期間に等しい。結果として、画素２の外観は、暗いグレイであり、ＤＧにより示される。ｔ１とｔ２との間の時間間隔は小さく、ゼロであってもよい。前記特許出願のディスプレイパネルに存在する順序での前記振動パルスと前記画像パルスとのこの連続した印加は、画素２の外観の比較的大きな変化を結果として生じる。
【００２１】
本発明の実施例の一例において、前記ある数の中の１つの画素２の電位差パルスのシーケンスが、図４に時間の関数として示される。再び、前記振動パルスは６つのプリセット電位差を持ち、前記画像パルスは４つのサブ画像パルスを持つ。前記シーケンスの印加の前に、画素２の外観は、例えば黒であり、Ｂにより示される。前記画像パルスの第１の部分は、時間ｔ０から時間ｔ１まで存在し、それぞれの値が１５ボルトである２つのサブ画像値と、１フレーム期間に等しいそれぞれ関連した持続期間とを持つ。図３の画素２に対して前記振動パルスは既に粒子６が前記電位差に応答する能力を増大しているので、前記画像パルスの第１の部分の結果としての外観の変化は、図３の画素２の前記画像パルスの初めの２つのサブ画像値の結果としての外観の変化と比較して比較的小さい。引き続いて、１５ボルト、−１５ボルト、１５ボルト、−１５ボルト、１５ボルト及び−１５ボルトのプリセット値を続けて持つ６つのプリセット電位差を持つ前記振動パルスが、時間ｔ２から時間ｔ３まで印加される。再び、各プリセット値は、１フレーム期間だけ印加される。ｔ１とｔ２との間の時間間隔は小さく、ゼロであってもよい。引き続いて、２つのサブ画像値を持つ前記画像パルスの第２の部分が、時間ｔ４から時間ｔ５まで存在し、各値は１５ボルトであり、各関連した持続期間は１フレーム期間に等しい。結果として、前記画像パルスの第１の部分と、前記振動パルスと、前記画像パルスの第２の部分との連続した印加が、画素２の外観の比較的小さな変化を生じるので、画素２の外観は、図３の前記画素より幾分暗いグレイであり、ＤＧ’で示される。ｔ３とｔ４との間の時間間隔は小さく、ゼロであってもよい。更に、６つのプリセット電位差を持つ前記振動パルスは、偶数のプリセット電位差を持つ振動パルスの一例である。
【００２２】
他の実施例において、駆動手段１００は更に、前記ある数の中の各画素２に対して前記画像パルスの一部の前に他の応答変更パルスを供給することができる。一例において、前記ある数の中の１つの画素２の電位差パルスのシーケンスが、図５に時間の関数として示される。他の振動パルスは、例えば４つのプリセット電位差を持ち、前記振動パルスは、例えば２つのプリセット電位差を持ち、前記画像パルスは、例えば４つのサブ画像パルスを持つ。前記シーケンスの印加の前に、画素２の外観は、例えば黒である。前記他の振動パルスは、例えば、時間ｔ０から時間ｔ１まで印加される、１５ボルト、−１５ボルト、１５ボルト及び−１５ボルトのプリセット値を続けて持つ４つのプリセット電位差のシーケンスである。再び、各プリセット値は１フレーム期間だけ印加される。引き続いて、前記画像パルスの第１の部分が時間ｔ２から時間ｔ３まで存在し、２つのサブ画像値を持ち、各値は１５ボルトであり、各関連した持続期間は１フレーム間に等しい。ｔ１とｔ２との間の時間間隔は小さく、ゼロであってもよい。引き続いて、１５ボルト及び−１５ボルトのプリセット値を続けて持つ２つのプリセット電位差のシーケンスである前記振動パルスが、時間ｔ４から時間ｔ５まで印加される。再び、各プリセット値は１フレーム期間だけ印加される。ｔ３とｔ４との間の時間間隔は小さく、ゼロであってもよい。引き続いて、２つのサブ画像値を持つ前記画像パルスの第２の部分が時間ｔ６から時間ｔ７まで存在し、各値は１５ボルトであり、各関連した持続期間は１フレーム期間に等しい。結果として、画素２の外観は、ＤＧとＤＧ’との間のＤＧ’’により示されるおよそ暗いグレイである。これは以下のように見られることができる。図３の画素２の外観の変化は、６つのプリセット電位差を持つ比較的大きな振動パルスが前記画像パルスの印加の前に印加され、結果として粒子６が前記電位差に応答する能力を比較的大きく増大するので、比較的大きい。図５の画素２の外観の変化は、図３の比較的大きな振動パルスと比較して比較的中程度の振動パルスである４つのプリセット電位差を持つ他の振動パルスが前記画像パルスの第１の部分の印加の前に印加され、結果として前記画像パルスの第１の部分の印加の前に粒子６が前記電位差に応答する能力の比較的中程度の増大を生じるので、比較的中程度である。図４の画素２の外観の変化は、前記画像パルスの第１の部分が、６つのプリセット電位差を持つ前記振動パルスの印加の前に印加されるので、比較的小さい。したがって、前記画像パルスの第１の部分による画素２の外観の変化は比較的小さい。
【００２３】
他の実施例において、駆動手段１００は更に前記ある数の中の各画素２に対して、少なくとも１つの正の極性及び少なくとも１つの負の極性を有するサブ画像パルスのシーケンスを供給することができる。一例において、前記ある数の中の１つの画素２の電位差パルスのシーケンスが、図６に時間の関数として示される。前記振動パルスは６つのプリセット電位差を持つ。前記画像パルスは、６つのサブ画像パルスを持つ。前記シーケンスの印加の前に、画素２の外観は、例えば黒である。前記画像パルスの第１の部分は時間ｔ０から時間ｔ１まで存在し、５つのサブ画像値を持ち、各値は１５ボルトであり、各関連した持続期間は１フレーム期間に等しい。引き続いて、１５ボルト、−１５ボルト、１５ボルト、−１５ボルト、１５ボルト及び−１５ボルトのプリセット値を続けて持つ６つのプリセット電位差のシーケンスである前記振動パルスが、時間ｔ２から時間ｔ３まで印加される。再び、各プリセット値は１フレーム期間だけ印加される。ｔ１とｔ２との間の時間間隔は小さく、ゼロであってもよい。引き続いて、−１５ボルトである１つのサブ画像値を持ち、１フレーム期間の関連した持続期間を持つ前記画像パルスの第２の部分が時間ｔ４から時間ｔ５まで印加される。結果として、ＤＧ’’’により示される画素２の外観は、以前の暗いグレイレベルＤＧ、ＤＧ’及びＤＧ’’とは幾分異なる。ｔ３とｔ４との間の時間間隔は小さく、ゼロであってもよい。
【００２４】
他の実施例において、駆動手段１００は更に前記ある数の中の各画素２に対して前記応答変更パルス及び前記画像パルスの両方の前にリセットパルスを供給することができる。前記リセットパルスは、粒子６を前記末端位置の一方に移動することができ、前記リセットパルスは、粒子６の位置を現在の位置から前記末端位置の一方に変更するエネルギを表す基準エネルギと少なくとも同じ大きさであるエネルギを表す。各リセットパルスのエネルギが前記基準エネルギより実質的に大きいことが好ましい。更に、各リセットパルスは、前記画像を表示するために粒子６の位置に最も近い前記末端位置に粒子６を移動することができる。更に、駆動手段１００は更に前記ある数の中の各画素２に対して前記リセットパルスの前に他の振動パルスを供給することができる。一例において、前記ある数の中の１つの画素２の電位差パルスのシーケンスが、図７に時間の関数として示される。前記振動パルスは６つのプリセット電位差を持ち、前記画像パルスは４つのサブ画像パルスを持つ。前記シーケンスの印加の前に、画素２の外観は、例えば中間のグレイであり、ＭＧにより示される。前記他の振動パルスは、１５ボルト、−１５ボルト、１５ボルト及び−１５ボルトのプリセット値を続けて持つ４つのプリセット電位差のシーケンスであり、時間ｔ０から時間ｔ１まで印加される。各プリセット値は１フレーム期間だけ印加される。引き続いて、例えば−１５ボルトの値と例えば３０フレーム期間に等しい関連した持続期間とを持つ前記リセットパルスが時間ｔ２から時間ｔ３まで存在する。結果として、前記リセットパルスのエネルギは前記基準エネルギより実質的に大きいので、画素２の外観は黒である。ｔ１とｔ２との間の時間間隔は小さく、ゼロであってもよい。引き続いて、前記画像パルスの第１の部分が時間ｔ４から時間ｔ５まで存在し、２つのサブ画像値を持ち、各値は１５ボルトであり、各関連した持続期間は１フレーム期間に等しい。引き続いて、１５ボルト、−１５ボルト、１５ボルト、−１５ボルト、１５ボルト及び−１５ボルトのプリセット値を続けて持つ６つのプリセット電位差のシーケンスである前記振動パルスが、時間ｔ６から時間ｔ７まで印加される。再び、各プリセット値は１フレーム期間だけ印加される。ｔ５とｔ６との間の時間間隔は小さく、ゼロであってもよい。引き続いて、２つのサブ画像値を持つ前記画像パルスの第２の部分が時間ｔ８から時間ｔ９まで存在し、各値は１５ボルトであり、各関連した持続期間は１フレーム期間に等しい。結果として、画素２の外観はおよそ暗いグレイであり、ＤＧ’’’’により示される。ｔ７とｔ８との間の時間間隔は小さく、ゼロであってもよい。
【００２５】
他の実施例において、前記応答変更パルスは時間で同期しており、ハードウェア振動（hardware shaking）である。
【図面の簡単な説明】
【００２６】
【図１】ディスプレイパネルの実施例の正面図を概略的に示す。
【図２】図１のII−IIに沿った断面図を概略的に示す。
【図３】前記特許出願のディスプレイパネルの画素に対する時間の関数としての電位差パルスのシーケンスを概略的に示す。
【図４】一実施例のある数の画素の中の１つの画素に対する時間の関数としての電位差パルスのシーケンスを概略的に示す。
【図５】他の実施例における前記ある数の画素の中の１つの画素に対する時間の関数としての電位差パルスのシーケンスを概略的に示す。
【図６】他の実施例における前記ある数の画素の中の１つの画素に対する時間の関数としての電位差パルスのシーケンスを概略的に示す。
【図７】他の実施例における前記ある数の画素の中の１つの画素に対する時間の関数としての電位差パルスのシーケンスを概略的に示す。
【図１】
2007503602.tif 000003
【図２】
2007503602.tif 000004
【図３】
2007503602.tif 000005
【図４】
2007503602.tif 000006
【図５】
2007503602.tif 000007
【図６】
2007503602.tif 000008
【図７】
2007503602.tif 000009
【国際調査報告】
2007503602.tif 000010
2007503602.tif 000011
2007503602.tif 000012